(57)【要約】【課題】カメラに加わる衝撃をカメラ電源オフ時にも行う。【解決手段】電源１０に開閉スイッチ３６を介して接続されるカメラ系回路部２０と、電源１０に常時接続されカメラ系回路部２０を制御すると共に開閉スイッチ３６のオンオフ制御を行う制御部３１と、加わる衝撃の大きさ及び方向を検出する衝撃センサ６と、日時を計数する時計手段３４と、衝撃センサ６が衝撃を検出したとき時計手段３４が計数した衝撃検出日時のデータと衝撃の大きさ及び方向のデータとを記録するメモリ３３を備える。好適には、衝撃検出時における開閉スイッチ３６のオンオフデータもメモリ３３に記録する。【選択図】図２
2009033407.tif 000002
【特許請求の範囲】
【請求項１】
電源に開閉スイッチを介して接続されるカメラ系回路部と、電源に常時接続され前記カメラ系回路部を制御すると共に前記開閉スイッチのオンオフ制御を行う制御部と、加わる衝撃の大きさ及び方向を検出する衝撃センサと、日時を計数する時計手段と、前記衝撃センサが衝撃を検出したとき前記時計手段が計数した衝撃検出日時のデータと前記衝撃の大きさ及び方向のデータとを記録するメモリとを備えることを特徴とするカメラ。
【請求項２】
前記データと共に前記開閉スイッチのオンオフデータも前記メモリに記録されることを特徴とする請求項１に記載のカメラ。
【請求項３】
請求項１または請求項２に記載のカメラの衝撃記録方法において、所定以上の衝撃が前記衝撃センサに加わったときだけ前記各データの前記メモリへの記録を行うことを特徴とするカメラの衝撃記録方法。
【請求項４】
請求項１または請求項２に記載のカメラの衝撃記録方法において、所定の衝撃に達しない衝撃に関する前記各データを前記メモリから消去することを特徴とするカメラの衝撃記録方法。
【請求項５】
請求項１または請求項２に記載のカメラの故障診断方法において、前記衝撃センサが所定以上の衝撃を検出したとき前記開閉スイッチをオフにし、電源オン指令が入力されたとき該開閉スイッチをオンにしてカメラ可動部の正常動作の有無を診断し、正常動作不可の診断結果が出たときは故障発生を表示することを特徴とするカメラの故障診断方法。
【請求項６】
請求項１または請求項２に記載のカメラの故障診断方法において、電源オン指令が入力されたとき前記メモリに記録されているログ情報を読み出し、ログ情報が無い場合には前記開閉スイッチをオンにして撮影モードに入り、ログ情報が有る場合にはログ情報を解析して所定以上の衝撃があったか否かを判定し、所定以上の衝撃が無かった場合には前記ログ情報を消去してから前記撮影モードに入り、所定以上の衝撃が有った場合には故障診断を行い、故障が無かったときは前記ログ情報を消去してから前記撮影モードに入り、故障が有った場合には前記撮影モードへの移行を停止することを特徴とするカメラの故障診断方法。
【発明の詳細な説明】
【技術分野】
【０００１】
本発明は、カメラに加わる衝撃を記録しておき、この記録データをカメラのメンテナンスに利用することができるカメラ及びその衝撃記録方法並びに故障診断方法に関する。
【背景技術】
【０００２】
コンパクトタイプのデジタルカメラやカメラ付き携帯電話機等の普及が進み、カメラが常にユーザに携帯される様になってきている。このため、カメラに様々な衝撃が加わる機会が多くなり、ユーザの知らない間に意図しない衝撃がカメラに加わって、精密機械であるカメラの不調や故障の原因になってしまう事例が増えている。
【０００３】
カメラメーカのサービス店等では、修理のために持ち込まれるカメラの数が多くなり、カメラの故障，不調の原因箇所を探し出すのに時間がかかってしまうというのが現状である。
【０００４】
このため、カメラに加わった衝撃を記録しておき、この記録データを参照することができれば、効率的且つ的確な修理が可能となる。しかし、カメラに加わる衝撃は、カメラを使用している最中ばかりでなく、カメラの電源をオフして、例えば鞄の中に入れ持ち運んでいる最中でも起こり得るため、故障の原因となる全ての衝撃を記録しておくことができないという問題がある。
【０００５】
尚、カメラではないが、印刷中のプリンタに加わる衝撃を検知し、印字品質を維持するために印字補正を衝撃に応じて行う従来技術として下記特許文献１があり、また、配送中の荷物に加わる衝撃を検知するために荷物に貼り付ける衝撃記録用カードが下記特許文献２に記載されている。
【０００６】
【特許文献１】特開２００１―２６０４９０号公報
【特許文献２】特開平８―６２２４０号公報
【発明の開示】
【発明が解決しようとする課題】
【０００７】
本発明の目的は、カメラが使用されていない間にカメラに加わった衝撃でも記録しておくことができるカメラ及びその衝撃記録方法並びに故障診断方法を提供することにある。
【課題を解決するための手段】
【０００８】
本発明のカメラは、電源に開閉スイッチを介して接続されるカメラ系回路部と、電源に常時接続され前記カメラ系回路部を制御すると共に前記開閉スイッチのオンオフ制御を行う制御部と、加わる衝撃の大きさ及び方向を検出する衝撃センサと、日時を計数する時計手段と、前記衝撃センサが衝撃を検出したとき前記時計手段が計数した衝撃検出日時のデータと前記衝撃の大きさ及び方向のデータとを記録するメモリとを備えることを特徴とする。
【０００９】
本発明のカメラは、前記データと共に前記開閉スイッチのオンオフデータも前記メモリに記録されることを特徴とする。
【００１０】
本発明のカメラの衝撃記録方法は、上記記載のカメラの衝撃記録方法であって、所定以上の衝撃が前記衝撃センサに加わったときだけ前記各データの前記メモリへの記録を行うことを特徴とする。
【００１１】
本発明のカメラの衝撃記録方法は、上記記載のカメラの衝撃記録方法であって、所定の衝撃に達しない衝撃に関する前記各データを前記メモリから消去することを特徴とする。
【００１２】
本発明のカメラの故障診断方法は、上記記載のカメラの故障診断方法であって、前記衝撃センサが所定以上の衝撃を検出したとき前記開閉スイッチをオフにし、電源オン指令が入力されたとき該開閉スイッチをオンにしてカメラ可動部の正常動作の有無を診断し、正常動作不可の診断結果が出たときは故障発生を表示することを特徴とする。
【００１３】
本発明のカメラの故障診断方法は、上記記載のカメラの故障診断方法であって、電源オン指令が入力されたとき前記メモリに記録されているログ情報を読み出し、ログ情報が無い場合には前記開閉スイッチをオンにして撮影モードに入り、ログ情報が有る場合にはログ情報を解析して所定以上の衝撃があったか否かを判定し、所定以上の衝撃が無かった場合には前記ログ情報を消去してから前記撮影モードに入り、所定以上の衝撃が有った場合には故障診断を行い、故障が無かったときは前記ログ情報を消去してから前記撮影モードに入り、故障が有った場合には前記撮影モードへの移行を停止することを特徴とする。
【発明の効果】
【００１４】
本発明によれば、カメラに加わる衝撃のデータをカメラ電源オフ時にも記録するため、この記録を利用して効率的且つ的確なメンテナンスを実施することができる。
【発明を実施するための最良の形態】
【００１５】
以下、本発明の一実施形態について、図面を参照して説明する。
【００１６】
図１は、本発明の一実施形態に係るデジタルカメラの外観図である。このデジタルカメラ１は、筐体２と、筐体２の中央部分に設けられカメラ電源オンで前方に繰り出されるレンズ鏡筒３と、レンズ鏡筒３内に設けられた撮影レンズ４と、筐体２のグリップ部上端面に設けられたシャッタボタン５と、ユーザが操作する電源スイッチ７とを備えている。この筐体２内の所定箇所には、三次元加速度センサ６が取り付けられている。
【００１７】
図２は、図１に示すデジタルカメラの機能ブロック構成図である。このデジタルカメラ１は、電源バッテリ１０と、カメラ系回路２０と、制御系回路３０とを備える。
【００１８】
カメラ系回路２０は、撮影レンズ４や絞り等の光学系２１と、レンズ鏡筒３を駆動する図示しないモータと、光学系２１を通して結像された被写体の光学像を電気信号に変換する撮像素子２２と、撮像素子２２の出力データを信号処理する信号処理回路２３と、信号処理回路２３で生成された被写体の撮像画像データを記録メディアに記録する記録部２４とで構成される。
【００１９】
制御系回路３０は、カメラ系回路２０を制御すると共に制御系回路３０を含むカメラ全体を統括制御する制御部（ＣＰＵ）３１と、カメラ電源制御部３２と、ＥＥＰＲＯＭ３３と、図１で説明した三次元加速度センサ６と、現在時刻を常時計時する時計部３４と、カメラ背面等に取り付けられている液晶表示器３５と、開閉スイッチ３６とを備えてなる。図１に示す電源スイッチ７とシャッタボタン５はＣＰＵ３１に接続される。
【００２０】
開閉スイッチ３６は、バッテリ１０とカメラ系回路２０とを接続する電気配線の途中に設けられており、電源スイッチ７のユーザ操作状態を検知したＣＰＵ３１からの指示によりオンオフ制御が行われる。バッテリ１０と制御系回路３０とは常時接続されている。表示器３５は、常時オンになっていると電力消費が多くなるため、所定時間に渡って操作されていないことをＣＰＵ３１が検知したとき自動的に消灯して電力消費を抑制し、ＣＰＵ３１自身も、所定時間操作されていないことを検知したとき節電モードで動作する様になっている。
【００２１】
尚、上記実施形態では、カメラ系回路部２０の電源バッテリ１０と制御系回路部３０の電源バッテリ１０とを共用したが、これらを別電源とすることでも良い。
【００２２】
図３は、ＣＰＵ３１が行う本発明の第１実施形態に係る制御プログラムの衝撃記録処理手順を示すフローチャートである。
【００２３】
先ず、ステップＳ１で、電源スイッチ７がオンか否かを判定する。ユーザ操作指示が電源オンであった場合には、ステップＳ１からステップＳ２に進み、図２に示す開閉スイッチ３６を閉成（オン）する。電源スイッチ７がオフの場合には、ステップＳ１からステップＳ３に進み、図２に示す開閉スイッチ３６を開放（オフ）する。
【００２４】
ステップＳ２，Ｓ３の処理の後はステップＳ４に進み、所定以上の衝撃発生を待機する。図１，図２に示す三次元加速度センサ６が所定値以上の加速度を検知したとき、ＣＰＵ３１は所定以上の衝撃発生と判断し、ステップＳ４からステップＳ５に進む。
【００２５】
ステップＳ５では、衝撃発生時の日時データを図２の時計部３４から取得し、この日時データを、電気的に消去可能なメモリ（ＥＥＰＲＯＭ）３３に記録する。次のステップＳ６では、三次元加速度センサ６の検出した加速度の大きさをメモリ３３に記録し、次のステップＳ７では、三次元加速度センサ６の検出した加速度の方向をメモリ３３に記録する。
【００２６】
そして、最後に、スイッチ３６のオン／オフの情報をメモリ３３に記録し（ステップＳ８）、この処理を終了して再びステップＳ１に戻る。
【００２７】
この様に、本実施形態では、ユーザ操作用電源スイッチ７のオフ時であっても、カメラに対しどちらの方向から衝撃が加わったのかを容易に知ることができる。また、電源スイッチ３６のオンオフ情報が記録され、衝撃が加わった方向が記録されるため、例えばレンズ鏡筒３が前方に繰り出された状態のとき、レンズ鏡筒３に対しどちらの方向から衝撃が加わったのかを容易に知ることが可能となる。
【００２８】
図４は、ＣＰＵ３１が実施する本発明の第２実施形態に係る制御プログラムの衝撃記録処理手順を示すフローチャートである。衝撃を記録する場合、衝撃の大きさにかかわらず、全ての衝撃の発生日時，衝撃の大きさ，衝撃の方向を記録することが可能である。しかし、そうすると、メモリ３３に必要となるメモリ容量が大きくなり、メモリコストが嵩んでしまうという問題がある。そこで、第１実施形態と同様に、本実施形態では、所定以上の衝撃のみ記録する様にしている。
【００２９】
先ず、ステップＳ２１で、衝撃のデータ（発生日時，大きさ，方向）を三次元加速度センサ６から取得し、次のステップＳ２２で、衝撃の大きさが所定以下であるか否かを判定する。
【００３０】
ステップＳ２２の判定の結果、衝撃の大きさが所定以下の場合には、ステップＳ２１で取得した衝撃データを消去して再びステップＳ２１に戻り、次の衝撃を待機する（ステップＳ２３）。
【００３１】
ステップＳ２２の判定の結果、衝撃の大きさが所定以下では無いと判定された場合、ステップＳ２４，２５，２６に進み、夫々、日時データ，加速度の大きさデータ，加速度の方向データを、メモリ３３に記録し、この処理を終了してステップＳ１に戻る。
【００３２】
尚、本実施形態でも、図３のステップＳ８と同様に、衝撃発生時の電源スイッチ３６のオンオフ情報をメモリ３３に記録しておくのが好ましい。
【００３３】
図５は、ＣＰＵ３１が実施する本発明の第３実施形態に係る制御プログラムの故障診断処理手順を示すフローチャートである。ＣＰＵ３１は三次元加速度センサ６の検出値を監視し、所定以上の衝撃が発生するのを待機する（ステップＳ３１）。
【００３４】
所定以上の衝撃が発生したとき、ＣＰＵ３１は、次のステップＳ３２に進み、カメラ電源スイッチ３６をオフにする。
【００３５】
次に、ＣＰＵ３１は、カメラ１に設けられている図示しないユーザ操作用の電源スイッチがオンになっているか否かを判定し（ステップＳ３３）、オンになるのを待機する。
【００３６】
ユーザ操作用の電源スイッチがオンになった場合には、次のステップＳ３４に進み、スイッチ３６をオンにしてレンズ鏡筒３の駆動モータを制御し、ズームレンズ鏡筒３の出し入れ制御を行う。そして、その出し入れ制御が正常に行われたかズームエラーが発生したかを判定（ステップＳ３５）する。
【００３７】
この判定の結果、正常と判定した場合にはこの処理を終了し、通常のユーザ操作に基づく撮影処理に入る。ズームエラーが発生したと判定した場合には、ステップＳ３６に進んで故障発生を表示器３５に表示し、この処理を終了する。
【００３８】
この様に、本実施形態によれば、所定以上の衝撃が発生したとき、レンズのズーム系にエラーが発生したか否かを自己診断して表示するため、それ以上の故障に繋がるユーザの無理なカメラ操作を止めることができる。
【００３９】
図６は、ＣＰＵ３１が実施する本発明の第４実施形態に係る制御プログラムの故障診断処理手順を示すフローチャートである。この制御プログラムは、ユーザがカメラ１の電源スイッチ７をオンにしたとき起動され、先ずステップＳ４１で、メモリ３３に記録されたログ情報を読み出す。
【００４０】
次のステップＳ４２では、ログ情報が存在するか否か、即ち、過去にカメラに対して衝撃が加わったか否かを判定し、ログ情報が無い場合には、ステップＳ４３に進み、撮影モードに入る。この撮影モードでは、スイッチ３６をオンにして、ユーザ操作に基づき撮影処理を行う。
【００４１】
ステップＳ４２の判定の結果、ログ情報が存在すると判定された場合には、ステップＳ４２からステップＳ４４に進み、ログ情報の解析を行う。そして、ステップＳ４５で、所定以上の衝撃があったか否かを判定する。所定以上の衝撃が無かった場合には、ステップＳ４６に進んでログ情報を消去した後、ステップＳ４３に進む。
【００４２】
所定以上の衝撃があった場合には、ステップＳ４５からステップＳ４７に進み、故障診断を実施する。例えば図５のステップＳ３４と同様にズームエラーの有無を診断する。そして、故障の有無を判定し（ステップＳ４８）、故障が無い場合にはステップＳ４６に進み、故障がある場合には次のステップＳ４９で故障内容をメモリ３３に記録し、撮影モードに入ることなく、この処理を終了する。このとき、図５のステップＳ３６と同様に、故障表示を行うのが好ましい。
【００４３】
尚、以上述べた実施形態では、三次元加速度センサによりカメラに加わる衝撃の大きさと方向を検出したが、他の種類のセンサで衝撃の大きさと方向を検出することでも良い。
【産業上の利用可能性】
【００４４】
本発明に係るカメラは、電源オフ時に発生した衝撃の記録も残すため、カメラやカメラ付携帯電話機に適用すると、精密機械であるカメラのメンテナンスに有用となる。
【図面の簡単な説明】
【００４５】
【図１】本発明の一実施形態に係るカメラの外観図である。
【図２】図１に示すカメラの機能ブロック構成図である。
【図３】本発明の第１実施形態に係る制御プログラムの処理手順を示すフローチャートである。
【図４】本発明の第２実施形態に係る制御プログラムの処理手順を示すフローチャートである。
【図５】本発明の第３実施形態に係る制御プログラムの処理手順を示すフローチャートである。
【図６】本発明の第４実施形態に係る制御プログラムの処理手順を示すフローチャートである。
【符号の説明】
【００４６】
１  カメラ
３  レンズ鏡筒
６  三次元加速度センサ
７  ユーザ操作用電源スイッチ
１０  バッテリ
２０  カメラ系回路
３０  制御系回路
３６  カメラ系回路の電源スイッチ
【図１】
2009033407.tif 000003
【図２】
2009033407.tif 000004
【図３】
2009033407.tif 000005
【図４】
2009033407.tif 000006
【図５】
2009033407.tif 000007
【図６】
2009033407.tif 000008